(57)【特許請求の範囲】
【請求項１】
多気筒内燃機関の気筒毎に設けられ、各気筒に対して燃料を供給するための燃料噴射用電磁弁と、
燃料噴射用電磁弁に設けられ、該電磁弁を開弁又は閉弁させるためのソレノイドと、
同時に駆動することがあり得るソレノイドに対して別々に設けられ、ソレノイドに供給されるエネルギーを蓄積する複数の第１エネルギー蓄積素子と、
同時に駆動することがあり得るソレノイドに対して共通に設けられ、ソレノイドに供給されるエネルギーを蓄積する第２エネルギー蓄積素子と、
ソレノイドと第１エネルギー蓄積素子との間に設けられるエネルギー供給用の第１スイッチング手段と、
ソレノイドと第２エネルギー蓄積素子との間に設けられるエネルギー供給用の第２スイッチング手段と、
１個の気筒の１燃焼工程で複数回の燃料噴射動作を行う際に、前記第１エネルギー蓄積素子の蓄積エネルギーと前記第２エネルギー蓄積素子の蓄積エネルギーとを交互にソレノイドに供給するよう、前記エネルギー供給用の第１，第２スイッチング手段をオン／オフ制御する制御手段と、
を備えることを特徴とする内燃機関の燃料噴射装置。
【請求項２】
同時に駆動することのないソレノイドを共通の噴射グループとし、この噴射グループ毎に前記第１エネルギー蓄積素子を設けた請求項１に記載の内燃機関の燃料噴射装置。
【請求項３】
請求項２に記載の内燃機関の燃料噴射装置において、
前記制御手段により、一つの噴射グループ内で第１及び第２エネルギー蓄積素子から交互にエネルギー供給される時、他の噴射グループでは当該他のグループ専用の第１エネルギー蓄積素子からエネルギー供給される内燃機関の燃料噴射装置。
【請求項４】
前記第１及び第２エネルギー蓄積素子は、電源エネルギーよりも高いレベルでエネルギーを蓄積するものである請求項１〜３の何れかに記載の内燃機関の燃料噴射装置。
【請求項５】
電源に接続され、電源電圧を昇圧するための昇圧手段を備え、
前記第１及び第２エネルギー蓄積素子には、前記昇圧手段により電源電圧を昇圧したエネルギーが蓄積される請求項１〜４の何れかに記載の内燃機関の燃料噴射装置。
【請求項６】
前記第１及び第２エネルギー蓄積素子にはソレノイドへの通電遮断時に発生する逆起電力エネルギーが蓄積される内燃機関の燃料噴射装置であって、
前記第１，第２エネルギー蓄積素子によるソレノイドへのエネルギー供給後、次の通電遮断時におけるエネルギー回収までの期間で、前記昇圧手段による昇圧動作を禁止する請求項５に記載の内燃機関の燃料噴射装置。
【発明の詳細な説明】
【０００１】
【発明の属する技術分野】
本発明は、例えば車両用内燃機関の燃料噴射用電磁弁を高速に駆動して開弁させ、燃料噴射を好適に制御するための内燃機関の燃料噴射装置に関する。
【０００２】
【従来の技術】
従来より、電磁弁の応答を早めるために、昇圧回路により昇圧され蓄積されたエネルギーを放出する電磁弁駆動装置や、電磁弁の通電遮断時の逆起電力エネルギー（フライバックエネルギー）を回収して利用する電磁弁駆動装置が公知である（例えば特公平７−７８３７４号公報、特許第２５９８５９５号公報）。
【０００３】
この種の電磁弁駆動装置としては、高圧燃料をエンジンに供給するためのインジェクタを駆動する装置が知られており、従来技術におけるインジェクタ駆動回路を図３に示す。図３は、例えば多気筒ディーゼルエンジンのインジェクタ駆動回路として適用されるものであり、排ガス対策として本来の噴射タイミングの他、それとは異なるタイミングでの噴射が実施される。つまり、例えばプレ、パイロット、メイン、アフター等の多段噴射が実施されるようになっている。
【０００４】
図３において、インダクタ３０１、スイッチ３０２、ダイオード３０３及びコンデンサ３０４により昇圧回路が構成されており、スイッチ３０２のオン／オフに伴いコンデンサ３０４にはバッテリ電圧＋Ｂよりも高い電圧が充電される。コンデンサ３０４にはスイッチ３０５を介して各インジェクタ内のソレノイド３０６の一端が接続され、ソレノイド３０６の他端はそれぞれ、スイッチ３０７及び抵抗３０８を介して接地されている。各ソレノイド３０６には、定電流駆動用のスイッチ３０９が接続されている。スイッチ３０７のオン時にソレノイド３０６が通電されると、インジェクタの図示しない弁体が開弁位置に移動する。ソレノイド３０６のローサイドにはそれぞれ、エネルギー回収用のダイオード３１０が接続されている。駆動用ＩＣ３１１は、各スイッチ３０２，３０５，３０７，３０９をオン又はオフに制御する。
【０００５】
上記インジェクタ駆動回路の動作を図４のタイムチャートに従い説明する。図４には、インジェクタによるメイン噴射と、それに先立って実施されるパイロット噴射とが実施される様子を示す。
【０００６】
パイロット噴射に際し、駆動用ＩＣ３１１からの噴射信号に従い、何れかのソレノイド３０６に接続されるスイッチ３０７がオンすると、それと同時にスイッチ３０５が一定時間だけオンし、コンデンサ３０４の充電電圧がソレノイド３０６に対して放出される。これにより、インジェクタの開弁当初に大電流が流れ、インジェクタの開弁応答性が向上する。その後、抵抗３０８により検出されるインジェクタ電流に応じてスイッチ３０９がオン／オフされ、ソレノイド３０６が定電流駆動される。コンデンサ３０４の放電後は、パイロット噴射終了時のソレノイド３０６で発生する逆起電力エネルギーがダイオード３１０を介してコンデンサ３０４に回収され、更にその後、スイッチ３０２がオン／オフされてコンデンサ３０４が充電される。
【０００７】
一方、メイン噴射時には同様に、その当初にスイッチ３０５がオンしてコンデンサ３０４の充電電圧がソレノイド３０６に対して放出され、その後、ソレノイド３０６が定電流駆動される。コンデンサ３０４の放電後は、メイン噴射終了時のソレノイド３０６で発生する逆起電力エネルギーがダイオード３１０を介してコンデンサ３０４に回収され、更にその後、スイッチ３０２がオン／オフされてコンデンサ３０４が充電される。
【０００８】
【発明が解決しようとする課題】
ところが、上記図３の従来技術では、複数のインジェクタに対して１個のコンデンサ３０４が設けられるため、昇圧回路又は通電遮断時のエネルギー回収を利用してコンデンサ３０４を充電する際に時間がかかると、連続する多段噴射の次の放電までにコンデンサ３０４が十分に充電できなくなる。こうしてコンデンサ３０４の充電が不十分になると、インジェクタの開弁応答に支障を来すおそれがあった。
【０００９】
従って、連続する多段噴射を支障無く実現するには、連続する各噴射毎に専用のコンデンサを設けることが考えられる。つまり、１つのインジェクタに対して複数のコンデンサを設ける必要が生じる。しかしながら、コンデンサにはインジェクタの駆動エネルギーとして充分な容量と耐圧が要求されることから、コンデンサの個数が多くなると、回路基板に対し大きな実装面積を要し、コストが高くなるといった問題を招く。
【００１０】
また近年は、２つの気筒のインジェクタを重複して駆動させて、当該２つの気筒に対して燃料噴射を重複して実施する、いわゆる多重噴射を行う噴射システムも提案されているが、かかる多重噴射に際しても１個のコンデンサを使うだけでは燃料噴射が適正に実現できない。すなわち、先に駆動開始したインジェクタでコンデンサのエネルギーが消費されて後に駆動開始するインジェクタにコンデンサエネルギーが与えられないため、所望の開弁動作が行われない。或いは、２個のインジェクタが全く同時に駆動開始されると、コンデンサエネルギーが半分ずつ与えられ、この場合には双方のインジェクタにて所望の開弁動作が行われない。従って、多重噴射を適正に実施するには、気筒数×２個以上のコンデンサの数が必要となってしまう。
【００１１】
本発明は、上記問題に着目してなされたものであって、その目的とするところは、燃料噴射用電磁弁を適切に駆動させ、且つエネルギー蓄積素子の個数削減を図ることができる内燃機関の燃料噴射装置を提供することである。
【００１２】
【課題を解決するための手段】
本発明の内燃機関の燃料噴射装置において、多気筒内燃機関の各気筒には燃料噴射用電磁弁が設けられ、ソレノイドの通電に伴い該電磁弁が開弁又は閉弁される。また、１個の気筒の１燃焼行程で複数回、ソレノイドを通電して燃料噴射動作を行わせることにより多段噴射が実施され、互いに異なる気筒のソレノイドを同時に通電することにより多重噴射が実施される。
【００１３】
請求項１に記載の発明によれば、複数の第１エネルギー蓄積素子は、同時に駆動することがあり得るソレノイドに対して別々に設けられるのに対し、第２エネルギー蓄積素子は、同時に駆動することがあり得るソレノイドに対して共通に設けられる。制御手段は、１個の気筒の１燃焼工程で複数回の燃料噴射動作を行う際に、すなわち多段噴射を実施する際に、第１エネルギー蓄積素子の蓄積エネルギーと第２エネルギー蓄積素子の蓄積エネルギーとを交互にソレノイドに供給するよう、エネルギー供給用の第１，第２スイッチング手段をオン／オフ制御する。
【００１４】
第１及び第２エネルギー蓄積素子が交互に選択されてエネルギー供給が行われるため、同じエネルギー蓄積素子を使って連続する多段噴射が実施されることはない。この場合、前段の燃料噴射に伴うエネルギー供給後、当該エネルギー供給したエネルギー蓄積素子では、次段の燃料噴射の間にエネルギーが蓄積され、その後のエネルギー供給の準備が整う。従って、多段噴射に際し燃料噴射用電磁弁が適切に駆動される。また、第２エネルギー蓄積素子は、多重噴射を実施する気筒のソレノイド同士で共用されるため、当該蓄積素子の必要個数が削減でき、ひいてはコスト低減を図ることができる。
【００１５】
請求項２に記載の発明では、同時に駆動することのないソレノイドを共通の噴射グループとし、この噴射グループ毎に前記第１エネルギー蓄積素子を設けたので、ソレノイド毎にエネルギー蓄積素子を設ける場合に比べ、当該蓄積素子の必要個数が削減できる。
【００１６】
請求項３に記載の発明では、前記制御手段により、一つの噴射グループ内で第１及び第２エネルギー蓄積素子から交互にエネルギー供給される時、他の噴射グループでは当該他のグループ専用の第１エネルギー蓄積素子からエネルギー供給される。
【００１７】
要するに、多段噴射に際しては、一つの噴射グループ内で第１及び第２エネルギー蓄積素子から交互にソレノイドにエネルギーが供給されるのに対し、他の噴射グループによる多重噴射（同時噴射）に際しては、その多重噴射を行う噴射グループ専用の第１エネルギー蓄積素子からソレノイドにエネルギーが供給される。上記の通り各エネルギー蓄積素子が使い分けられることで、多段噴射と多重噴射とを複合的に実施する燃料噴射装置において、好適なる燃料噴射を実現することができる。
【００１８】
請求項４に記載の発明では、前記第１及び第２エネルギー蓄積素子は、電源エネルギーよりも高いレベルでエネルギーを蓄積するので、燃料噴射時にはこの高いレベルのエネルギーがソレノイドに供給され、燃料噴射用電磁弁の応答性が向上する。
【００１９】
また、第１及び第２エネルギー蓄積素子には、昇圧手段により電源電圧を昇圧したエネルギーが蓄積されるか（請求項５）、或いはソレノイドへの通電遮断時に発生する逆起電力エネルギーが蓄積されるといった構成にすると良い。この場合、請求項６に記載したように、第１，第２エネルギー蓄積素子によるソレノイドへのエネルギー供給後、次の通電遮断時におけるエネルギー回収までの期間で、前記昇圧手段による昇圧動作を禁止することが望ましい。この場合、ソレノイドの通電遮断時におけるエネルギー回収時に、その回収先となるエネルギー蓄積素子のエネルギー量が常に一定となり、エネルギー回収時間が均一化される。従って、通電遮断後、インジェクタが非動作状態になるまでの時間のばらつきが解消される。その結果、インジェクタの噴射切れのタイミングがずれることがなく、同インジェクタを安定して駆動させることができる。
【００２０】
【発明の実施の形態】
以下、この発明を具体化した一実施の形態を図面に従って説明する。本実施の形態は、車載用４気筒ディーゼルエンジンのコモンレール式燃料噴射システムとして具体化されるものであり、同燃料噴射システムにおいてコモンレール内で蓄圧された高圧燃料は、インジェクタの駆動に伴いディーゼルエンジンの各気筒に対して噴射供給される。また本実施の形態では、１回の燃焼行程に際して複数回の燃料噴射動作を行わせる多段噴射と、同時に２つのインジェクタを駆動させて各々燃料噴射を行わせる多重噴射とを実施する。
【００２１】
図１は、本実施の形態におけるインジェクタ駆動装置を示す電気回路図である。図１の装置は、エンジンの各気筒に対して燃料噴射を行う燃料噴射用電磁弁としてのインジェクタ１０１，１０２，１０３，１０４と、これらインジェクタ１０１〜１０４を駆動する駆動回路（ＥＤＵ：Electric Driver Unit）１００と、この駆動回路１００に接続されるＥＣＵ（電子制御装置）２００とを備える。ＥＣＵ２００は、ＣＰＵ、各種メモリ等からなる周知のマイクロコンピュータを備え、エンジン回転数Ｎｅ、アクセル開度ＡＣＣ、エンジン水温ＴＨＷなど、各種センサにて検出されるエンジン運転情報に基づき気筒毎に噴射信号を生成して駆動回路１００に出力する。
【００２２】
インジェクタ１０１〜１０４は常閉式の電磁弁にて構成され、電磁負荷としてのソレノイド１０１ａ，１０２ａ，１０３ａ，１０４ａを個々に備える。この場合、各ソレノイド１０１ａ〜１０４ａが通電されると、図示しない弁体がリターンスプリングの付勢力に抗して開弁位置に移動し、燃料噴射が行われる。また、各ソレノイド１０１ａ〜１０４ａの通電が遮断されると、弁体が元の閉弁位置に戻り、燃料噴射が停止される。
【００２３】
本実施の形態では、全４気筒のインジェクタ１０１〜１０４を２気筒ずつに分け、インジェクタ１０１と１０３を同じ噴射グループとして駆動回路１００の共通端子ＣＯＭ１に接続し、インジェクタ１０２と１０４を同じ噴射グループとして駆動回路１００の共通端子ＣＯＭ２に接続している。なお、同時に駆動されることがないインジェクタで各々の噴射グループを構成することとし、そのグループ分けはどの気筒間で多重噴射を実施させるか等のエンジンの設計仕様によって決定されればよい。また、４気筒以外の、例えば６気筒エンジンの場合には、各気筒のインジェクタを３気筒ずつの噴射グループに分ければよい。
【００２４】
インダクタＬ１１は一端がバッテリ電源ライン（＋Ｂ）に接続され、他端がトランジスタＴ００に接続されている。トランジスタＴ００のゲート端子には自励式の発振回路１１０が接続され、この発振回路１１０の出力に応じてトランジスタＴ００がオン／オフする。トランジスタＴ００とＧＮＤとの間には電流検出抵抗Ｒ００が接続されている。
【００２５】
インダクタＬ１１とトランジスタＴ００との間には、トランジスタＴ１３、逆流防止用のダイオードＤ１４及びコンデンサＣ１０からなる直列回路と、トランジスタＴ２３、逆流防止用のダイオードＤ２４及びコンデンサＣ２０からなる直列回路と、トランジスタＴ３３、逆流防止用のダイオードＤ３４及びコンデンサＣ３０からなる直列回路とが各々接続されている。各コンデンサＣ１０，Ｃ２０，Ｃ３０のローサイドはそれぞれ、トランジスタＴ００と電流検出抵抗Ｒ００との接続点に接続されている。
【００２６】
コンデンサＣ１０は、ＣＯＭ１側の噴射グループであるインジェクタ１０１，１０３専用のエネルギー蓄積コンデンサであり、コンデンサＣ２０は、ＣＯＭ２側の噴射グループであるインジェクタ１０２，１０４専用のエネルギー蓄積コンデンサである。また、コンデンサＣ３０は、ＣＯＭ１，ＣＯＭ２共用のエネルギー蓄積コンデンサである。
【００２７】
上記インダクタＬ１１、トランジスタＴ００、電流検出抵抗Ｒ００、発振回路１１０、トランジスタＴ１３，Ｔ２３，Ｔ３３、ダイオードＤ１４，Ｄ２４，Ｄ３４及びコンデンサＣ１０，Ｃ２０，Ｃ３０によりＤＣ−ＤＣコンバータ回路が構成され、このうち、インダクタＬ１１、トランジスタＴ００、電流検出抵抗Ｒ００及び発振回路１１０からなる回路部分が本発明の昇圧手段に相当する。
【００２８】
トランジスタＴ１３，Ｔ２３，Ｔ３３は駆動用ＩＣ１２０により駆動が制御され、これらトランジスタＴ１３，Ｔ２３，Ｔ３３がオンした状態でトランジスタＴ００がオン／オフされると、ダイオードＤ１４，Ｄ２４，Ｄ３４を通じてコンデンサＣ１０〜Ｃ３０が充電される。これにより、各コンデンサＣ１０〜Ｃ３０がバッテリ電圧＋Ｂよりも高い電圧に充電される。かかる場合、電流検出抵抗Ｒ００により充電電流がモニタされつつ、発振回路１１０によりトランジスタＴ００がオン／オフされることで、コンデンサＣ１０〜Ｃ３０が効率の良い周期で充電される。コンデンサＣ１０〜Ｃ３０の充電電圧は、例えば１００Ｖである。
【００２９】
駆動用ＩＣ１２０には、＃１〜＃４の入力端子が接続され、駆動用ＩＣ１２０はこの各端子を通じてＥＣＵ２００から第１気筒（＃１）〜第４気筒（＃４）の各噴射信号を取り込む。
【００３０】
コンデンサＣ１０は、トランジスタＴ１２及びダイオードＤ１３を介してＣＯＭ１端子に接続され、コンデンサＣ２０は、トランジスタＴ２２及びダイオードＤ２３を介してＣＯＭ２端子に接続されている。また、コンデンサＣ３０は、トランジスタＴ３２及びダイオードＤ３１を介してＣＯＭ１端子に接続されると共に、トランジスタＴ３２及びダイオードＤ３２を介してＣＯＭ２端子に接続されている。従って、＃１〜＃４の噴射信号がオフ（論理ローレベル）からオン（論理ハイレベル）に反転するタイミングでは、駆動用ＩＣ１２０によりトランジスタＴ１２，Ｔ２２，Ｔ３２の何れかが一時的にオンされ、それに応じてコンデンサＣ１０〜Ｃ３０の蓄積エネルギーがインジェクタ１０１〜１０４に供給される。より具体的には、トランジスタＴ１２がオンされると、コンデンサＣ１０の蓄積エネルギーがＣＯＭ１側のインジェクタ１０１，１０３に供給され、トランジスタＴ２２がオンされると、コンデンサＣ２０の蓄積エネルギーがＣＯＭ２側のインジェクタ１０２，１０４に供給される。また、トランジスタＴ３２がオンされると、コンデンサＣ３０の蓄積エネルギーがインジェクタ１０１〜１０４の何れかに供給される。こうしたコンデンサＣ１０〜Ｃ３０によるエネルギー供給により、インジェクタの駆動電流として大電流が流れ、それに伴いインジェクタの開弁応答性が向上する。
【００３１】
各インジェクタ１０１〜１０４のローサイドには、駆動回路１００の端子ＩＮＪ１，ＩＮＪ２，ＩＮＪ３，ＩＮＪ４を介してトランジスタＴ１０，Ｔ２０，Ｔ３０，Ｔ４０が接続されており、駆動用ＩＣ１２０から＃１〜＃４の噴射信号が各々供給されると、その論理ハイレベルの噴射信号により当該トランジスタＴ１０〜Ｔ４０がオンとなる。トランジスタＴ１０，Ｔ３０とトランジスタＴ２０，Ｔ４０とは、各々同一の噴射グループを構成するものであり、それら各トランジスタはグループ毎に電流検出抵抗Ｒ１０，Ｒ２０を介して接地されている。電流検出抵抗Ｒ１０，Ｒ２０によりインジェクタ１０１〜１０４に流れる駆動電流が検出され、その検出結果が駆動用ＩＣ１２０に取り込まれる。
【００３２】
ＣＯＭ１，ＣＯＭ２端子はそれぞれ、ダイオードＤ１１，Ｄ２１とトランジスタＴ１１，Ｔ２１とを介してバッテリ電源ライン（＋Ｂ）に接続されている。かかる場合、駆動用ＩＣ１２０は、インジェクタ１０１〜１０４に流れる駆動電流に応じてトランジスタＴ１１，Ｔ２１をオン／オフ制御する。これにより、＋Ｂからインジェクタ１０１〜１０４に定電流が供給される。ダイオードＤ１２，Ｄ２２は定電流制御のための帰還ダイオードであり、トランジスタＴ１１，Ｔ２１のオフ時にインジェクタ１０１〜１０４に流れる電流はダイオードＤ１２，Ｄ２２を介して還流される。
【００３３】
実際の動作に際しては、駆動指令である噴射信号の立ち上がりと同時に先ずトランジスタＴ１２、Ｔ２２又はＴ３２がオンされ、インジェクタ１０１〜１０４の駆動電流としてコンデンサＣ１０、Ｃ２０又はＣ３０のエネルギー供給により大電流が流れた後、引き続き、トランジスタＴ１１又はＴ２１を通じて定電流が流れ、噴射信号の立ち下がりに伴い同駆動電流が遮断される。なお、ダイオードＤ１１，Ｄ２１は、コンデンサＣ１０〜Ｃ３０のエネルギー供給に際し、高電位となるＣＯＭ１，ＣＯＭ２端子から＋Ｂ側への回り込みを防止するためのダイオードである。
【００３４】
また、各インジェクタ１０１〜１０４のうち、一方の噴射グループを構成するインジェクタ１０１，１０３は、ダイオードＤ１０，Ｄ３０を介してコンデンサＣ１０に接続されており、通電遮断に伴い当該インジェクタ１０１，１０３に発生する逆起電力エネルギーはダイオードＤ１０，Ｄ３０を介してコンデンサＣ１０に回収される。また、他方の噴射グループを構成するインジェクタ１０２，１０４は、ダイオードＤ２０，Ｄ４０を介してコンデンサＣ２０に接続されており、通電遮断に伴い当該インジェクタ１０２，１０４に発生する逆起電力エネルギーはダイオードＤ２０，Ｄ４０を介してコンデンサＣ２０に回収される。更に、全インジェクタ１０１〜１０４は、ダイオードＤ１５，Ｄ２５，Ｄ３５，Ｄ４５を介してコンデンサＣ３０に接続されており、通電遮断に伴い各インジェクタ１０１〜１０４に発生する逆起電力エネルギーはダイオードＤ１５，Ｄ２５，Ｄ３５，Ｄ４５を介してコンデンサＣ３０に回収される。上記逆起電力エネルギーの回収に際し、電位の低いコンデンサにこの逆起電力エネルギーが回収される。
【００３５】
なお本実施の形態では、コンデンサＣ１０，Ｃ２０が本発明の第１エネルギー蓄積素子に相当し、コンデンサＣ３０が第２エネルギー蓄積素子に相当する。また、トランジスタＴ１２，Ｔ２２がエネルギー供給用の第１スイッチング手段に、トランジスタＴ３２がエネルギー供給用の第２スイッチング手段に相当する。更に、駆動用ＩＣ１２０が制御手段に相当する。
【００３６】
次に、本実施の形態における作用を図２のタイムチャートを用いて説明する。図２では多段噴射と多重噴射との動作例を示しており、多段噴射としては、メイン噴射に先立つプレ噴射とパイロット噴射、並びにメイン噴射後のアフター噴射が実施される。ここで、プレ噴射は主に筒内活性化のために実施され、パイロット噴射は主にＮＯｘや燃焼音の低減のために実施される。アフター噴射は主に煤の再燃焼のために実施される。また、多重噴射を実現するためのポスト噴射は、主に触媒活性化のために実施される。つまり、これら各噴射は、排気エミッションの向上を目的として、エンジン運転状態等に応じて適宜実施される。
【００３７】
図２中、「＃１」は第１気筒の噴射信号を、「＃２」は第２気筒の噴射信号を示し、第１気筒（＃１）の多段噴射について、期間ｔ１ではプレ噴射が、期間ｔ２ではパイロット噴射が、期間ｔ３ではメイン噴射が、期間ｔ４ではアフター噴射が、それぞれ実施される。また、期間ｔ５では、第１気筒のメイン噴射に重複して第２気筒（＃２）に対しポスト噴射が実施される。４気筒エンジンの場合、例えば＃１の噴射信号として、１８０°ＣＡ内にプレ、パイロット、メイン及びアフターの各噴射（多段噴射）の信号が出力され、その噴射信号に重複して＃２の噴射信号として、ポスト噴射（多重噴射）の信号が出力される。
【００３８】
さて、図２のプレ噴射前において、コンデンサＣ１０〜Ｃ３０は何れも満充電の状態にあり、期間ｔ１で＃１の噴射信号がオンに立ち上げられると、トランジスタＴ１０がオンすると共に、それと同時にトランジスタＴ１２がオンし、インジェクタ１０１によるプレ噴射が開始される。トランジスタＴ１２は、プレ噴射の開始当初の一定時間ｔ１１だけオンし、コンデンサＣ１０の蓄積エネルギーがソレノイド１０１ａに供給される。これにより、ソレノイド１０１ａに大電流が流れ、インジェクタ１０１の開弁応答が早まる。
【００３９】
コンデンサＣ１０によるエネルギー供給後は、それに引き続いてトランジスタＴ１１がオン／オフ制御され、ダイオードＤ１１を介してソレノイド１０１ａに定電流が供給される。すなわち、電流検出抵抗Ｒ１０により検出した駆動電流（ＩＮＪ１電流）に応じて駆動用ＩＣ１２０がトランジスタＴ１１をオン／オフし、その駆動電流を所定値に保持する。これにより、インジェクタ１０１は開弁状態で保持される。
【００４０】
その後、＃１の噴射信号がオフされると、トランジスタＴ１０がオフし、ソレノイド１０１ａの通電遮断時に発生する逆起電力エネルギーがダイオードＤ１０を通じてコンデンサＣ１０に回収される。このとき、噴射開始時にエネルギー供給を行ったのと同じコンデンサＣ１０でエネルギーが回収される。通電遮断後、インジェクタの駆動電流（ＩＮＪ１電流）がリターンスプリングの付勢力に打ち負ける所定レベルまで減衰すると、インジェクタ１０１が閉弁し、同インジェクタ１０１によるプレ噴射が終了される。
【００４１】
また、プレ噴射の開始から終了後、更にソレノイド１０１ａの逆起電力エネルギー回収に必要な時間ｔ１２が経過するまでの期間では、トランジスタＴ１３がオフされ、ＤＣ−ＤＣコンバータ回路によるコンデンサＣ１０の充電が禁止される。そして、逆起電力エネルギーの回収が完了すると、トランジスタＴ１３がオン、トランジスタＴ００がオン／オフしてＤＣ−ＤＣコンバータ回路によるコンデンサＣ１０の充電が開始される。
【００４２】
上記期間ｔ１のプレ噴射では、噴射開始当初にコンデンサＣ１０の蓄積エネルギーをソレノイド１０１ａに供給したが、このプレ噴射に続く期間ｔ２のパイロット噴射では、コンデンサＣ３０の蓄積エネルギーをソレノイド１０１ａに供給する。そして、そのパイロット噴射中に、コンデンサＣ１０を満充電状態にまで充電する。
【００４３】
詳しくは、＃１の噴射信号がオンに立ち上げられると、トランジスタＴ１０が再びオンすると共に、それと同時にトランジスタＴ３２が一定時間ｔ１１だけオンし、コンデンサＣ３０の蓄積エネルギーがソレノイド１０１ａに供給される。これにより、パイロット噴射の開始当初において、ソレノイド１０１ａに大電流が流れ、インジェクタ１０１の開弁応答が早まる。
【００４４】
コンデンサＣ３０によるエネルギー供給後は、それに引き続き、電流検出抵抗Ｒ１０により検出した駆動電流（ＩＮＪ１電流）に応じてトランジスタＴ１１がオン／オフ制御され、ダイオードＤ１１を介してソレノイド１０１ａに定電流が供給される。これにより、インジェクタ１０１は開弁状態で保持される。その後、＃１の噴射信号がオフされてＩＮＪ電流が減衰すると、インジェクタ１０１が閉弁し、同インジェクタ１０１によるパイロット噴射が終了される。ソレノイド１０１ａの通電遮断時に発生する逆起電力エネルギーはダイオードＤ１５を通じてコンデンサＣ３０に回収される。このとき、噴射開始時にエネルギー供給を行ったのと同じコンデンサＣ３０でエネルギーが回収される。
【００４５】
一方、コンデンサＣ１０では、パイロット噴射に関係なくＤＣ−ＤＣコンバータ回路による充電が継続され、当該コンデンサＣ１０が満充電状態に充電される。
【００４６】
パイロット噴射の開始から終了後、更にソレノイド１０１ａの逆起電力エネルギー回収に必要な時間ｔ１２が経過するまでの期間では、トランジスタＴ３３がオフされ、ＤＣ−ＤＣコンバータ回路によるコンデンサＣ３０の充電が禁止される。そして、逆起電力エネルギーの回収が完了すると、トランジスタＴ３３がオン、トランジスタＴ００がオン／オフしてＤＣ−ＤＣコンバータ回路によるコンデンサＣ３０の充電が開始される。
【００４７】
それ以降、期間ｔ３のメイン噴射では、コンデンサＣ１０の蓄積エネルギーがソレノイド１０１ａに供給され、そのメイン噴射中にコンデンサＣ３０が満充電状態に充電される。メイン噴射に続く期間ｔ４のアフター噴射では、コンデンサＣ３０の蓄積エネルギーがソレノイド１０１ａに供給され、そのアフター噴射中にコンデンサＣ１０が満充電状態に充電される。また、メイン噴射の終了時に発生する逆起電力エネルギーはコンデンサ１０で回収され、アフター噴射の終了時に発生する逆起電力エネルギーはコンデンサ３０で回収される。逆起電力エネルギーの回収完了後、ＤＣ−ＤＣコンバータ回路によりコンデンサＣ１０，Ｃ３０が充電される。
【００４８】
以上のように、コンデンサＣ１０，Ｃ２０を交互に使って、連続する多段噴射を実施することで、各噴射では満充電状態のコンデンサＣ１０，Ｃ２０からエネルギー供給を行わせることができる。
【００４９】
次に、多重噴射について説明する。図２では、＃１の噴射信号（ｔ３のメイン噴射）に＃２の噴射信号（ｔ５のポスト噴射）が重複しており、インジェクタ１０１，１０２が同時に駆動される。このとき、インジェクタ１０１，１０２は別々の噴射グループに属するため、それらは互いに無関係で制御され、仮に噴射時期が重複しても互いの影響を受けることなく燃料噴射が実施される。
【００５０】
詳しくは、期間ｔ５で＃２の噴射信号がオンに立ち上げられると、トランジスタＴ２０がオンすると共に、それと同時にトランジスタＴ２２が一定時間ｔ１１だけオンし、コンデンサＣ２０の蓄積エネルギーがソレノイド１０２ａに供給される。これにより、ポスト噴射の開始当初において、ソレノイド１０２ａに大電流が流れ、インジェクタ１０２の開弁応答が早まる。コンデンサＣ２０によるエネルギー供給後は、それに引き続き、電流検出抵抗Ｒ２０により検出した駆動電流（ＩＮＪ２電流）に応じてトランジスタＴ２１がオン／オフ制御され、ダイオードＤ２１を介してソレノイド１０２ａに定電流が供給される。これにより、インジェクタ１０２は開弁状態で保持される。
【００５１】
その後、＃２の噴射信号がオフされると、トランジスタＴ２０がオフし、ソレノイド１０２ａの通電遮断時に発生する逆起電力エネルギーがダイオードＤ２０を通じてコンデンサＣ２０に回収される。このとき、噴射開始時にエネルギー供給を行ったのと同じコンデンサＣ２０でエネルギーが回収される。なお、逆起電力エネルギーは、ダイオードＤ２０を経てコンデンサＣ２０に向かうものと、ダイオードＤ２５を経てコンデンサＣ３０に向かうものとに分散されるが、コンデンサＣ３０は既に満充電に充電されているためにこのコンデンサＣ３０に対しての僅かな回収量となり、噴射制御に問題はない。通電遮断後、インジェクタの駆動電流（ＩＮＪ２電流）が減衰すると、インジェクタ１０２が閉弁し、同インジェクタ１０２によるポスト噴射が終了される。
【００５２】
この場合にも既述の通り、ポスト噴射の開始から終了後、更にソレノイド１０２ａの逆起電力エネルギーの回収が完了するまでの期間では、トランジスタＴ２３がオフされ、ＤＣ−ＤＣコンバータ回路によるコンデンサＣ２０の充電が禁止される。そして、逆起電力エネルギーの回収が完了すると、トランジスタＴ２３がオン、トランジスタＴ００がオン／オフしてＤＣ−ＤＣコンバータ回路によるコンデンサＣ２０の充電が開始される。
【００５３】
以上詳述した本実施の形態によれば、以下に示す効果が得られる。
（イ）コンデンサＣ１０，Ｃ２０は噴射グループ毎に別々に設けられるのに対し、コンデンサＣ３０は各噴射グループに共通に設けられ、多段噴射時には、コンデンサＣ１０，Ｃ２０とコンデンサＣ３０とから交互に各ソレノイド１０１ａ〜１０４ａにエネルギーが供給されるので、同じコンデンサを使って連続する多段噴射が実施されることはない。つまり、充電途中のコンデンサを使って噴射開始時のエネルギー供給が行われることはない。そして、一方のコンデンサのエネルギー供給時に他方のコンデンサでエネルギーが蓄積（充電）される。従って、各噴射でインジェクタ１０１〜１０４が適切に駆動され、所望とする多段噴射が精度良く実現できる。また、コンデンサＣ１０，Ｃ２０を噴射グループ毎に設けると共に、コンデンサＣ３０を全気筒共用で設けたので、当該コンデンサの必要個数が削減でき、ひいてはコスト低減を図ることができる。
【００５４】
（ロ）多段噴射が実施される側とは逆の噴射グループで多重噴射（ポスト噴射）を実施する場合、多重噴射側のグループ専用のコンデンサＣ１０又はＣ２０からエネルギー供給されるので、多段噴射と多重噴射とを複合的に実施する燃料噴射装置において、好適なる燃料噴射を実現することができる。
【００５５】
（ハ）コンデンサＣ１０〜Ｃ３０は、電源エネルギーよりも高いレベルでエネルギーを蓄積するので、燃料噴射時にはこの高いレベルのエネルギーがソレノイド１０１ａ〜１０４ａに供給され、インジェクタ１０１〜１０４の応答性が向上する。
【００５６】
（ニ）通電開始時のエネルギー供給と、通電遮断時の逆起電力エネルギー回収とが同じコンデンサで行われるので、エネルギー供給及び回収が効率良く実施できる。
【００５７】
（ホ）コンデンサＣ１０〜Ｃ３０のエネルギー供給後、次の通電遮断時におけるエネルギー回収が終わるまでの期間で当該コンデンサＣ１０〜Ｃ３０への充電が禁止されるので、電遮断時におけるエネルギー回収先のコンデンサ電圧が常に一定となり、エネルギー回収時間が均一化される。従って、通電遮断後、インジェクタ１０１〜１０４が閉弁状態になるまでの時間のばらつきが解消される。その結果、インジェクタ１０１〜１０４の噴射切れのタイミングがずれることがなく、同インジェクタ１０１〜１０４を安定して駆動させることができる。
【００５８】
（ヘ）インジェクタ１０１〜１０４のソレノイド１０１ａ〜１０４ａを好適に駆動させることができる本インジェクタ駆動装置によれば、エンジンに対して安定し且つ高精度な燃料供給が実現できる。
【００５９】
なお本発明は、上記以外に次の形態にて具体化できる。
上記実施の形態では、コンデンサＣ１０，Ｃ２０からのエネルギー供給後、トランジスタＴ１１，Ｔ２１をオン／オフ制御してソレノイド１０１ａ〜１０４ａを定電流駆動したが、この構成を変更する。つまり、コンデンサＣ１０，Ｃ２０からのエネルギー供給後は、バッテリ電圧によりソレノイド１０１ａ〜１０４ａを直接駆動するようにしてもよい。
【００６０】
上記図１の構成において、ＤＣ−ＤＣコンバータ回路の昇圧動作によりコンデンサＣ１０〜Ｃ３０にエネルギーを蓄積させるための構成、又は、通電遮断時の逆起電力エネルギーをダイオードを介して回収させてコンデンサＣ１０〜Ｃ３０に蓄積させるための構成の何れかを省略しても良い。
【００６１】
上記実施の形態では、本発明をディーゼルエンジンのコモンレール式燃料噴射システムに具体化したが、他の装置への適用も可能である。例えば、高圧燃料がエンジンの各気筒に直接噴射される直噴式ガソリンエンジンの燃料噴射システムに具体化する。この場合にも、エネルギー供給用に設けられたコンデンサの蓄積エネルギーが、燃料噴射用電磁弁としてのインジェクタのソレノイドに供給され、該インジェクタがその通電開始当初に高速に駆動される。また、前記コンデンサとしては、同時に燃料噴射されることがあり得るインジェクタに対して別々のものと、同時に燃料噴射されることがあり得るソレノイドに対して共通のものとが設けられ、連続する多段噴射を行う際に、前記した各コンデンサから交互にエネルギー供給が行われる。従って、インジェクタを適切に駆動させ、且つコンデンサの個数削減を図ることができる。
【図面の簡単な説明】
【図１】発明の実施の形態におけるインジェクタ駆動装置の概要を示す電気回路図。
【図２】インジェクタ駆動装置の動作説明のためのタイムチャート。
【図３】従来技術におけるインジェクタ駆動回路の電気回路図。
【図４】動作説明のためのタイムチャート。
【符号の説明】
１００…駆動回路、１０１〜１０４…燃料噴射用電磁弁としてのインジェクタ、１０１ａ〜１０４ａ…ソレノイド、１１０…発振回路、１２０…制御手段としての駆動用ＩＣ、Ｃ１０，Ｃ２０…第１エネルギー蓄積素子としてのコンデンサ、Ｃ３０…第２エネルギー蓄積素子としてのコンデンサ、Ｔ１２，Ｔ２２…エネルギー供給用の第１スイッチング手段としてのトランジスタ、Ｔ３２…エネルギー供給用の第２スイッチング手段としてのトランジスタ、Ｌ１１…インダクタ、Ｔ００…トランジスタ、Ｒ００…電流検出抵抗。
【図１】
0004081927.tif 000002
【図２】
0004081927.tif 000003
【図３】
0004081927.tif 000004
【図４】
0004081927.tif 000005